(57)【特許請求の範囲】
【請求項１】
第１の表示手段を有する医療装置と、第２の表示手段を有する医療装置とを夫々第１の接続分離ユニットと、第２の接続分離ユニットとで構成される接続手段によって接続可能にした医療装置であって、前記接続手段の接続時に第２の表示手段の表示と略同一の表示を第１の表示手段に表示可能とするとともに、
前記医療装置の第１の表示手段及び前記医療装置の第２の表示手段は、その表示に付随した操作機能を有し、第１の表示手段で第２の表示手段の操作を可能とし、
かつ、前記操作機能は、各医療装置を操作するスイッチ機能及び／又は動作状況を確認可能な監視機能であるとともに、
前記第１の表示手段を有する医療装置が主の医療装置であり、前記第２の表示手段を有する医療装置が従の医療装置であり、夫々の装置は合体、分離可能に構成し、合体時には第２の表示手段を有する医療装置は第１の表示手段を有する医療装置からの電力供給を受けて駆動され、分離時には第２の表示手段を有する医療装置はバッテリーにより駆動され、
さらに、前記第１の表示手段を有する医療装置本体の上部に、前記第２の表示手段を有する医療装置用の装着受部を設け、
前記第２の表示手段を有する医療装置は、前記装着受部に対して装置可能な小型の箱形状に構成されるとともに、底面側に前記第１の接続分離ユニットが嵌装されるコネクタ構造の前記第２の接続分離ユニットを設けることにより構成したことを特徴とする医療装置。
【請求項２】
前記第１の表示手段を有する医療装置が第１のレーザー装置であり、前記第２の表示手段を有する医療装置が第２のレーザー装置であって、前記接続手段により夫々の装置が合体している場合には、第１のレーザー装置の第１の表示手段に第２のレーザー装置の第２の表示手段と略同一の表示を行うことが可能な請求項１に記載の医療装置。
【請求項３】
前記第１の表示手段を有する医療装置が第１のレーザー装置であり、前記第２の表示手段を有する医療装置が第２のレーザー装置であって、
前記接続手段により夫々の装置が合体している場合には、第１のレーザー装置の第１の表示手段に第２のレーザー装置の第２の表示手段と略同一の表示を行い、第１のレーザー装置の第１の表示手段からの操作で、第２のレーザー装置の操作を可能としたことを特徴とする請求項１乃至２いずれかに記載の医療装置。
【請求項４】
前記第１の表示手段を有する医療装置が第１のレーザー装置であり、前記第２の表示手段を有する医療装置が第２のレーザー装置であって、
前記接続手段により夫々の装置が合体している場合には、第１のレーザー装置の第１の表示手段に第２のレーザー装置の第２の表示手段と略同一の表示を行い、第１のレーザー装置の第１の表示手段から、第２のレーザー装置の監視を可能としたことを特徴とする請求項１乃至３いずれかに記載の医療装置。
【請求項５】
前記第１の表示手段を有する医療装置が第１のレーザー装置であり、前記第２の表示手段を有する医療装置が第２のレーザー装置であって、
夫々の装置が合体時には第２のレーザー装置は第１のレーザー装置からの電力供給を受けて駆動され、分離時には第２のレーザー装置はバッテリーにより駆動されることを特徴とする請求項１乃至４いずれかに記載の医療装置。
【請求項６】
前記第１のレーザー装置は炭酸ガスレーザー装置であり、前記第２のレーザー装置が半導体レーザー装置であることを特徴とする請求項２乃至５いずれかに記載の医療装置。
【請求項７】
前記第１の表示手段を有する医療装置と、前記第２の表示手段を有する医療装置とが分離時に、いずれかの医療装置のコネクタの接触端子を保護するようなカバーが被さる構造であることを特徴とする請求項１記載の医療装置。
【発明の詳細な説明】
【技術分野】
【０００１】
本発明は、医療装置に関し、詳しくは、主となる医療装置と、従となる医療装置とを合体、分離可能に構成し、両者を合体した場合の操作環境の統合性と、両者を分離した場合の従となる医療装置への使用範囲の拡張とを図った医療装置に関するものである。
【背景技術】
【０００２】
歯科医療の分野においては、従来から医療装置の一種である歯科用レーザー装置が種々提案され実用化されている。
【０００３】
しかし、歯科用レーザー装置における治療又は処置対象箇所は、患部組織の加温、凝固・止血、蒸散・切開、さらには、虫歯箇所の滅菌等多岐に渡り、一台の装置構成、かつ、患部への１波長のみのレーザー光照射のみでは、歯科医療において種々の形態を呈する患部の治療又は処置に限界が生じる。
【０００４】
また、歯科医療の分野において、在宅歯科診療目的で使用可能な比較的簡略なレーザー装置は実用化されていない。
【０００５】
ところで、特許文献１には、一台の装置構成で、波長を異にする２種の半導体レーザー光を発生する２個の半導体レーザー発生源を備え、２種の半導体レーザーの個別選択、複合、又は、出力制御を行って患部に照射するように構成した歯科用レーザー切換装置が提案されている。
【０００６】
しかし、この歯科用レーザー切換装置の場合、装置構成としては単一構成であり、主となるレーザー装置と、従となるレーザー装置とを合体、分離可能に構成し、両者を合体した場合の操作環境の統合性と、両者を分離した場合の在宅歯科診療等への使用範囲の拡張とを両立することができるようなレーザー装置は存在しないのが現状である。
【先行技術文献】
【特許文献】
【０００７】
【特許文献１】実公平６−３６８０９号公報
【発明の概要】
【発明が解決しようとする課題】
【０００８】
本発明が解決しようとする問題点は、接続・分離可能とした二台構成でありながら、両者の接続時における一方の医療装置による他方の医療装置の操作性の確保と、両者の分離時における相互の独立性及び他方の医療装置の適用範囲拡張とを両立することが可能で、例えば在宅歯科診療等にも対応でき、ユーザビィリティに優れ、特に歯科医療分野に適用して有益であるような医療装置が存在しない点である。
【課題を解決するための手段】
【０００９】
本発明は、第１の表示手段を有する医療装置と、第２の表示装置を有する医療装置とを接続手段によって接続可能にした医療装置であって、前記接続手段の接続時に第２の表示手段の表示と略同一の表示を第１の表示手段に表示可能としたことを最も主要な特徴とする。
【発明の効果】
【００１０】
請求項１記載の発明によれば、第１の表示手段を有する医療装置と、第２の表示装置を有する医療装置とを接続手段によって接続したときに、第２の表示手段の表示と略同一の表示を第１の表示手段に表示可能としたことにより、二台構成でありながら、第１の表示手段を有する医療装置において、第２の表示手段を有する医療装置の表示内容に基づくその機能確認を行うことが可能な医療装置を提供することができる。
【００１１】
同様にして、前記医療装置の第１の表示手段及び前記医療装置の第２の表示手段は、その表示に付随した操作機能を有し、第１の表示手段で第２の表示手段の操作を可能としたので、第１の表示手段を有する医療装置において、この医療装置自体の操作と、第２の表示手段を有する医療装置の操作との双方を実行できる医療装置を提供することができる。
【００１２】
また、前記操作機能は、各医療装置を操作するスイッチ機能及び／又は動作状況を確認可能な監視機能であることから、
各医療装置個別にスイッチ機能、監視機能を実現でき、また、第１の表示手段を有する医療装置において、第２の表示手段を有する医療装置のスイッチ機能、監視機能を実現できる医療装置を提供することができる。
【００１３】
さらに、夫々の装置が合体時には第２の表示手段を有する医療装置は第１の表示手段を有する医療装置からの電力供給を受けて駆動され、分離時には第２の表示手段を有する医療装置はバッテリーにより駆動される構成としたので、第２の表示手段を有する医療装置の合体時の安定した駆動電力確保と、分離時における第２の表示手段を有する医療装置の独立電源による動作確保とを実現できる医療装置を提供することができる。
【００１６】
請求項２記載の発明によれば、請求項１記載の発明において、前記第１の表示手段を有する医療装置が第１のレーザー装置であり、前記第２の表示手段を有する医療装置が第２のレーザー装置であって、前記接続手段により夫々の装置が合体している場合には、第１のレーザー装置の第１の表示手段に第２のレーザー装置の第２の表示手段と略同一の表示を行う構成としているので、二台構成でありながら、第１のレーザー装置において第２のレーザー装置の表示内容に基づくその機能確認を行うことが可能な医療装置を提供することができる。
【００１７】
請求項３記載の発明によれば、請求項１乃至２のいずれかに記載の発明において、前記第１の表示手段を有する医療装置が第１のレーザー装置であり、前記第２の表示手段を有する医療装置が第２のレーザー装置であって、前記接続手段により夫々の装置が合体している場合には、第１のレーザー装置の第１の表示手段に第２のレーザー装置の第２の表示手段と略同一の表示を行い、第１のレーザー装置の第１の表示手段からの操作で、第２のレーザー装置の操作を可能としているので、第１のレーザー装置において、この第１のレーザー装置自体の操作と第２のレーザー装置の操作との双方を実行できる医療装置を提供することができる。
【００１８】
請求項４記載の発明によれば、請求項１乃至３のいずれかに記載の発明において、前記第１の表示手段を有する医療装置が第１のレーザー装置であり、前記第２の表示手段を有する医療装置が第２のレーザー装置であって、前記接続手段により夫々の装置が合体している場合には、第１のレーザー装置の第１の表示手段に第２のレーザー装置の第２の表示手段と略同一の表示を行い、第１のレーザー装置の第１の表示手段から、第２のレーザー装置の監視を可能としているので、第１のレーザー装置において、この第１のレーザー装置自体の操作と第２のレーザー装置の監視とを実行できる医療装置を提供することができる。
【００１９】
請求項５記載の発明によれば、請求項１乃至４のいずれかに記載の発明において、前記第１の表示手段を有する医療装置が第１のレーザー装置であり、前記第２の表示手段を有する医療装置が第２のレーザー装置であって、夫々の装置が合体時には第２のレーザー装置は第１のレーザー装置からの電力供給を受けて駆動され、分離時には第２のレーザー装置はバッテリーにより駆動される構成としているので、第２のレーザー装置の合体時の安定した駆動電力確保と、分離時における第２のレーザー装置の独立電源による動作確保とを実現できる医療装置を提供することができる。
【００２０】
請求項６記載の発明によれば、請求項２乃至５いずれかに記載の発明において、前記第１のレーザー装置は炭酸ガスレーザー装置とし、前記第２のレーザー装置が半導体レーザー装置としているので、炭酸ガスレーザー装置と、半導体レーザー装置との組み合わせの構成により、請求項２乃至５いずれかに記載の発明の効果を奏する医療装置を提供することができる。
【００２１】
請求項７記載の発明によれば、請求項１記載の発明において、第１の表示手段を有する医療装置と、前記第２の表示手段を有する医療装置とが分離時に、いずれかの医療装置のコネクタの接触端子を保護するようなカバーが被さる構造としているので、両装置の分離時にコネクタの接触端子に塵埃等が侵入することが防止され、塵埃等の侵入による動作不良を回避することができる医療装置を提供することができる。
【図面の簡単な説明】
【００２２】
【図１】図１は本発明の実施例に係る医療装置を構成する炭酸ガスレーザー装置及び半導体レーザー装置の概略構成ブロック図である。
【図２】図２は本実施例に係る医療装置を構成する炭酸ガスレーザー装置、半導体レーザー装置の分離時の状態を示す概略正面図である。
【図３】図３は本実施例に係る医療装置を構成する炭酸ガスレーザー装置、半導体レーザー装置の接続時（合体時）の状態を示す概略正面図である。
【図４】図４は本実施例に係る医療装置を構成する炭酸ガスレーザー装置における第１制御ユニットの構成を示す概略ブロック図である。
【図５】図５は本実施例に係る医療装置を構成する半導体レーザー装置における第２制御ユニットの構成を示す概略ブロック図である。
【図６】図６は本実施例に係る医療装置を構成する炭酸ガスレーザー装置、半導体レーザー装置における第１の接続分離ユニット、第２の接続分離ユニットのオス、メス型の第１のコネクタ部、第２のコネクタ部の構造の具体的構成例を示す概略断面図である。
【図７】図７は本実施例に係る医療装置を構成する炭酸ガスレーザー装置における第１の接続分離ユニットの第１のコネクタ部、第２の接続分離ユニットの第２のコネクタ部にわたる接続分離検知機構部を示す概略斜視図である。
【図８】図８は本実施例に係る医療装置を構成する炭酸ガスレーザー装置における第１の接続分離ユニットの第１のコネクタ部の開口部を、第２のコネクタ部の非結合時に閉塞するコネクターカバーを付加した例を示す概略斜視図である。
【図９】図９は図８に示す第１のコネクタ部、コネクターカバーの部分拡大断面図である。
【図１０】図１０は本実施例に係る医療装置を構成する炭酸ガスレーザー装置における半導体レーザー装置用の装着受部を示す部分拡大斜視図である。
【図１１】図１１は本実施例に係る医療装置を構成する炭酸ガスレーザー装置の単体動作時における第１の表示手段の画面表示推移を示す説明図である。
【図１２】図１２は本実施例に係る医療装置を構成する半導体レーザー装置の単体動作時における第１の表示手段の画面表示推移を示す説明図である。
【図１３】図１３は本実施例に係る医療装置を構成する炭酸ガスレーザー装置、半導体レーザー装置の接続時において、炭酸ガスレーザー装置が動作する場合の第１の表示手段の画面表示推移を示す説明図である。
【図１４】図１４は本実施例に係る医療装置を構成する炭酸ガスレーザー装置、半導体レーザー装置の接続時において、半導体レーザー装置が動作する場合の第１の表示手段の画面表示推移を示す説明図である。
【図１５】図１５は本実施例に係る医療装置を構成する炭酸ガスレーザー装置、半導体レーザー装置を接続ケーブルにて接続する状態を示す概略正面図である。
【図１６】図１６は本実施例に係る医療装置を構成する炭酸ガスレーザー装置、半導体レーザー装置を無線接続する場合の構成を示す部分概略ブロック図である。
【発明を実施するための形態】
【００２３】
本発明は、接続・分離可能とした二台構成でありながら、両者の接続時における一方の医療装置による他方の医療装置の操作性の確保と、両者の分離時における相互の独立性及び他方の医療装置の適用範囲拡張とを両立することが可能で、例えば在宅歯科診療等にも対応でき、ユーザビィリティに優れ、特に歯科医療分野に適用して有益である医療装置を提供するという目的を、第１の表示手段を有する炭酸ガスレーザー装置のような主となる医療装置と、第２の表示手段を有する半導体レーザー装置のような従となる医療装置とを、接続手段によって接続し、また、分離可能とした医療装置であって、前記接続手段による接続時に第２の表示手段の表示と略同一の表示を第１の表示手段に表示して、主となる医療装置により従となる医療装置を操作可能とするとともに、分離時には従となる医療装置単独で動作可能とする構成により実現した。
【実施例】
【００２４】
以下に本発明の実施例に係る医療装置について図面を参照して詳細に説明する。
【００２５】
本実施例に係る医療装置は、第１の医療装置である第１のレーザー装置、具体的には炭酸ガスレーザー装置１と、第２の医療装置である第２のレーザー装置、具体的には半導体レーザー装置２１とを、接続、分離可能に構成している。
【００２６】
前記炭酸ガスレーザー装置１は、略箱型で正面右上隅部に、半導体レーザー装置２１用の装着受部３を設けた装置本体２と、装置本体２における前記装着受部３に突出配置したコネクタオス構造の第１の接続分離ユニット４と、前記装置本体２に内装した第１の制御ユニット５と、前記装置本体２に内装した例えば波長１０．６μｍの炭酸ガスレーザー光Ｌを出力する炭酸ガスレーザー発信器７と、前記装置本体２とは別体に構成され、先端から患部組織に向けて炭酸ガスレーザー光Ｌを照射するように構成した炭酸ガスレーザーハンドピース８と、炭酸ガスレーザー発信器７、炭酸ガスレーザーハンドピース８間に接続され、炭酸ガスレーザー発信器７からの炭酸ガスレーザー光Ｌを前記炭酸ガスレーザーハンドピース８に導光するマニピュレータ又はファイバーからなる第１の導光路９と、前記装置本体２の例えば上隅部に表出する状態に配置され、装置本体２の動作に必要な各種操作入力及び各種情報表示を行い、また、半導体レーザー装置２１が接続されたときには、この半導体レーザー装置２１の動作に必要な各種操作入力及び各種情報表示を行う例えばタッチパネル構造の第１の表示手段１０と、装置本体２に内装されるとともに、患部組織に向けて噴射するための水Ｗを収納した水タンク１１及び給水ポンプ１２と、装置本体２に内装されるとともに、患部組織に向けて噴射するための空気（圧力空気）を生成するエアーコンプレッサー等からなる空気供給源１３と、前記水タンク１１に一端を接続し、前記炭酸ガスレーザーハンドピース８に他端を接続した例えばパイプ材からなる水流路１４と、前記空気供給源１３に一端を接続し、前記炭酸ガスレーザーハンドピース８に他端を接続した例えばパイプ材からなる空気流路１５と、前記装置本体２に所要の電力供給を行うために例えば商用電源に接続するように構成した電源ケーブル１６と、を有している。
【００２７】
前記半導体レーザー装置２１は、前記炭酸ガスレーザー装置１における装置本体２の図１０にも示す装着受部３に対して装置、分離可能な比較的小型の箱型状に構成されるとともに、底面側に前記第１の接続分離ユニット４が嵌装されるコネクタ構造の第２の接続分離ユニット２３を設けた装置本体２２と、前記装置本体２２に内装した第２の制御ユニット２４と、前記装置本体２２の例えば上隅部に表出する状態に配置され、装置本体２２の動作に必要な各種操作入力及び各種情報表示を行う例えばタッチパネル構造の第２の表示手段２５と、前記装置本体２２に内装した例えば波長８００〜９００ナノメートル（ｎｍ）の半導体レーザー光Ｌ１を発信する半導体レーザー発信器２６と、装置本体２２とは別体に構成した半導体レーザーハンドピース２７と、  前記半導体レーザー発信器２６、半導体レーザーハンドピース２７間に接続され、半導体レーザー発信器２６からの半導体レーザー光Ｌ１を半導体レーザーハンドピース２７に導光するファイバーからなる第２の導光路２８と、前記装置本体２２の動作に必要な電力を行うバッテリー２９と、を有している。
【００２８】
次に、前記炭酸ガスレーザー装置１における第１の接続分離ユニット４、及び、第１の制御ユニット５の具体的構成例について図４を参照して説明する。
【００２９】
前記第１の接続分離ユニット４は、前記装置本体２の装着受部３の上面から上方に突出させた略直方体状で上面側が開口した第１のコネクタ部３０を具備し、この第１のコネクタ部３０は、詳細は後述するが、半導体レーザー装置２１の底面に設けた第２の接続分離ユニット２３を構成する第２のコネクタ部４１とコネクタ結合し、又は、分離し、このとき、第２のコネクタ部４１との接続又は分離状態を検知し、さらに、コネクタ結合時における半導体レーザー装置２１との間の各種信号伝送と、炭酸ガスレーザー装置１から半導体レーザー装置２１側への電力伝送とを行うように構成している。
【００３０】
前記第１の制御ユニット５は、図４に示すように、炭酸ガスレーザー装置１と半導体レーザー装置２１が分離されたときの炭酸ガスレーザー装置１の動作制御、炭酸ガスレーザー装置１と半導体レーザー装置２１との接続時のいずれか一方の選択的な動作制御を行う制御部３２と、炭酸ガスレーザー装置１の単体用表示・操作プログラム、及び、炭酸ガスレーザー装置１と半導体レーザー装置２１との接続時における両装置の選択的な動作用の表示・操作プログラムを搭載したプログラムメモリ３３と、炭酸ガスレーザー装置１用の表示・操作画像情報、及び、半導体レーザー装置２１用の表示・操作画像情報の双方を記憶した表示・操作画像情報記憶部３４と、制御部３２の制御の基に前記第１の表示手段１０を駆動する第１の表示手段駆動部３５と、制御部３２の制御の基に前記炭酸ガスレーザー発信器７を駆動する炭酸ガスレーザー駆動部３６と、制御部３２の制御の基に前記給水ポンプ１２を駆動する給水ポンプ駆動部３７と、制御部３２の制御の基に前記空気供給源１３を駆動する空気供給源駆動部３８と、前記電源ケーブル１６を経て供給される交流電力を炭酸ガスレーザー装置１の動作に必要な直流電圧値をもつ直流電力に変換して装置本体２の所要の要素に供給する電源供給手段３９と、を具備している。
【００３１】
また、前記電源供給手段３９は、前記第１の接続分離ユニット４の第２のコネクタ部３０が、半導体レーザー装置２１側の第２のコネクタ部４１との接続を検知したとき、制御部３２の制御の基に前記直流電力を第１の接続分離ユニット４の第１のコネクタ部３０を経て半導体レーザー装置２１側の第２のコネクタ部４１側に供給するように構成している。
【００３２】
次に、半導体レーザー装置２１における第２の接続分離ユニット２３、第２の制御ユニット２４について、図５を参照して説明する。
【００３３】
前記第２の接続分離ユニット２３は、前記第１のコネクタ部３０の開口部３０ａに装着しコネクタ結合する第２のコネクタ部４１を具備している。
【００３４】
前記第２のコネクタ部４１は、詳細は後述するが、前記第１のコネクタ部３０の開口部３０ａに装着することで第１のコネクタ部３０とコネクタ結合し、又は、分離し、このとき、第１のコネクタ部３０との接続又は分離状態を検知し、さらに、コネクタ結合時における炭酸ガスレーザー装置１との間の各種信号伝送を行い、かつ、炭酸ガスレーザー装置１からの電力供給を受けるように構成している。
【００３５】
前記第２の制御ユニット２４は、図５に示すように、半導体レーザー装置２１が炭酸ガスレーザー装置１から分離されたときのこの半導体レーザー装置２１の動作制御を行う制御部４２と、半導体レーザー装置２１単体動作用の表示・操作プログラムを格納したプログラムメモリ４３と、半導体レーザー装置２１用の表示・操作画像情報を記憶した表示・操作画像情報記憶部４４と、制御部４２の制御の基に前記第２の表示手段２５を駆動する第２の表示手段駆動部４５と、前記バッテリー２９と、制御部の制御４２の基に半導体レーザー発信器２６を駆動する半導体レーザー発信器駆動部４６と、第２のコネクタ部４１が第１のコネクタ部３０との接続を検知したときに、制御部４２の制御の基に炭酸ガスレーザー装置１からの電力をこの半導体レーザー装置２１の各要素へ供給し、第２のコネクタ部４１が第１のコネクタ部３０との分離を検知したときに、制御部４２の制御の基に前記バッテリー２９からの電力をこの半導体レーザー装置２１の各要素へ供給する電力切換動作を行う電力切換手段４７と、を具備している。
【００３６】
次に、前記第１の接続分離ユニット４の第１のコネクタ部３０、第２の接続分離ユニット２３の第２のコネクタ部４１の具体的構成例について、図６を参照して説明する。
【００３７】
前記第１のコネクタ部３０は、開口部３０ａの内方に、コネクタピン支持体５１により垂直上方に向けて支持した例えば２本の導体製の電力伝送ピン５２と、例えば４本の導体製の信号伝送ピン５３とを具備し、２本の電力伝送ピン５２を電力伝送系として、４本の信号伝送ピン５３を信号伝送系として機能させるように構成している。
【００３８】
一方、前記第２のコネクタ部４１は、内装した絶縁体５４の下面から内方に向けて２本の導体製の電力伝送ピン５２に対応する導体製の２個のピン受筒体５５と、４本の信号伝送ピン５３に対応する導体製の４個のピン受筒体５６とを具備し、２個のピン受筒体５５を電力伝送系として、４個のピン受筒体５６を信号伝送系として機能させるように構成している。
【００３９】
尚、第１のコネクタ部３０、第２のコネクタ部４１における具体的配線構造については図示省略する。
【００４０】
上述したような第１のコネクタ部３０、第２のコネクタ部４１の構成により、これら第１のコネクタ部３０、第２のコネクタ部４１による双方向の信号伝送と、第１のコネクタ部３０から第２のコネクタ部４１への電力伝送を実現している。
【００４１】
また、第１のコネクタ部３０の電力系は前記電源供給手段３９に接続され、第２のコネクタ部４１の電力系は電力切換手段４７に接続されるようになっている。
【００４２】
さらに、第１のコネクタ部３０の信号伝送系は前記制御部３２に接続され、第２のコネクタ部４１の信号伝送系は前記制御部４２に接続されるようになっている。
【００４３】
次に、前記第１のコネクタ部３０と、第２のコネクタ部４１との接続又は分離状態を検知する接続分離検知手段６１の簡略構成例について、図７を参照して説明する。
【００４４】
この接続分離検知手段６１は、図７に概略的に示すように、前記第１のコネクタ部３０における開口部３０ａの下側の例えば一方の短辺内壁に、一対の導体製の接点板６２、６２を添着して接点板６２、６２に接続した導線６３、６３を炭酸ガスレーザー装置１内に導き、また、第２のコネクタ部４１における前記第１のコネクタ部３０の接点板６２、６２を添着した短辺内壁に接合する短辺外壁に、第２のコネクタ部４１が前記第１のコネクタ部３０に装着されたときに前記接点板６２、６２に接触し短絡させる導体製の接触板６４を添着することで、第１の接続分離ユニット４用の接続分離検知機構部６１Ａを具備している。
【００４５】
すなわち、炭酸ガスレーザー装置１側において、前記一対の接点板６２、６２と、接触板６４とによって、第１のコネクタ部３０、第２のコネクタ部４１の結合、分離を検知するスイッチ機能を発揮させるように構成している。
【００４６】
同様に、第２のコネクタ部４１の他方の短辺外壁に、一対の導体製の接点板７２、７２を添着して接点板７２、７２に接続した導線７３、７３を半導体レーザー装置２１内に導き、また、前記第１のコネクタ部３０における開口部３０ａの下側の例えば他方の短辺内壁に、前記第２のコネクタ部４１が前記第１のコネクタ部３０に装着されたときに前記接点板７２、７２に接触し短絡させる導体製の接触板７４を添着することで、第２の接続分離ユニット２３用の接続分離検知機構部６１Ｂを具備している。
【００４７】
すなわち、半導体レーザー装置２１側において、前記一対の接点板７２、７２と、接触板７４とによって、第１のコネクタ部３０、第２のコネクタ部４１の結合、分離を検知するスイッチ機能を発揮させるように構成している。
【００４８】
次に、図８、図９を参照して、前記第１の接続分離ユニット４の第１のコネクタ部３０の開口部３０ａに開閉可能な一対のコネクターカバー８１、８１を付加した例について説明する。
【００４９】
第１のコネクタ部３０の開口部３０ａの長辺に沿ってこの開口部３０ａの短辺寸法の略１／２の幅を有する一対のコネクターカバー８１、８１を配置し、一対のコネクターカバー８１、８１の基端側の短辺両隅部を、各支持ピン８２を用いて第１のコネクタ部３０の開口部３０ａの各隅部に取り付けることで、これら一対のコネクターカバー８１、８１を各々回動可能に支持している。
【００５０】
また、一対のコネクターカバー８１、８１の幅方向の各突出端は前記開口部３０ａの長辺方向の中央部で略突き合わせ状態になるようにしている。
【００５１】
さらに、コネクターカバー８１、８１の各裏面と、前記開口部３０ａの下側の各内壁とには、例えば略９０度に角度規制されたＬ形状の板バネ８３、８３が添着され、第２のコネクタ部４１の非結合時においては、一対のコネクターカバー８１、８１が前記開口部３０ａを平坦状態で閉塞するように構成し、また、第２のコネクタ部４１が装着されるときには、前記板バネ８３、８３の弾性力に抗して一対のコネクターカバー８１、８１が各支持ピン８２を支軸として開口部３０ａ内に没入するように構成している。
【００５２】
これにより、第２のコネクタ部４１との非結合時には、第１のコネクタ部３０の開口部３０ａが一対のコネクターカバー８１、８１により閉塞されることになり、第１のコネクタ部３０の電力伝送ピン５２や、信号伝送ピン５３に対して塵埃等が侵入することが防止され、第１のコネクタ部３０に起因する動作不良を回避することができる。
【００５３】
次に、本実施例における接続分離可能な炭酸ガスレーザー装置１、半導体レーザー装置２１の組み合わせからなる医療装置の動作を、図１１乃至図１４をも参照し、かつ、場合を分けて説明する。
【００５４】
図１１は炭酸ガスレーザー装置１の単体動作時における第１の表示手段１０の画面表示形態を、図１２は半導体レーザー装置２１単独動作時における第２の表示手段２５の画面表示形態を、図１３は炭酸ガスレーザー装置１、半導体レーザー装置２１の接続時において炭酸ガスレーザー装置１が動作する場合の第１の表示手段１０の画面表示形態を、さらに、図１４は炭酸ガスレーザー装置１、半導体レーザー装置２１の接続時において半導体レーザー装置２１が動作する場合の第１の表示手段１０の画面表示形態を各々示している。
【００５５】
（炭酸ガスレーザー装置１の単体動作時）
図１１は、炭酸ガスレーザー装置１の単体動作時における第１の表示手段１０の画面表示形態を示すものである。
【００５６】
炭酸ガスレーザー装置１の単体動作時、すなわち、前記半導体レーザー装置２１が装着受部３に装着されていない状態では、第１の接続分離ユニット４の接続分離検知機構部６１Ａにおける一対の接点板６２、６２は開放状態で不導通である。
【００５７】
このとき、炭酸ガスレーザー装置１の制御部３２は、炭酸ガスレーザー装置１自体が単独であると判断し、商用電源に接続された前記電源ケーブル１６から供給される電力に基づき単独で動作を開始する。
【００５８】
また、炭酸ガスレーザー装置１の制御部３２は、前記プログラムメモリ３３に格納した炭酸ガスレーザー装置１の単体用表示・操作プログラムに基づき、前記表示・操作画像情報記憶部３４から表示・操作画像情報を読み出し、第１の表示手段駆動部３５を駆動して、第１の表示手段１０の画面に図１１左欄に示すような炭酸ガスレーザー装置１を単独で動作させるための表示・操作画像情報を表示する。
【００５９】
この表示・操作画像情報は、患部に対する術式を選択するための「切開１」、「切開２」、「蒸散１」、「蒸散２」、「蒸散３」からなる術式選択ボタン群、炭酸ガスレーザー光Ｌの出力電力表示（０．５Ｗ）、炭酸ガスレーザー光Ｌの照射時間設定ボタン、照明光のスイッチボタン、前記空気供給源１３の作動ボタン、前記給水ポンプ１２の作動ボタン、レディ（ＲＥＤＹ）ボタン等からなるものである。
【００６０】
そして、図１１左欄に示す表示態様において、術者が例えば「切開１」のボタンをタップすると、第１の表示手段１０の画面は、図１１右欄に示す態様に画面推移する。
【００６１】
図１１右欄に示す表示態様は、「切開１」の表示、炭酸ガスレーザー光Ｌの出力電力表示及び出力電力増減用の変更ボタン、炭酸ガスレーザー光Ｌの照射時間増減設定ボタン、
リターンボタン、ガイドレーザー光の設定ボタン、照明光のスイッチボタン、前記空気供給源１３の作動ボタン、前記給水ポンプ１２の作動ボタン、レディ（ＲＥＤＹ）ボタン、メモリ（ＭＥＭＯＲＹ）ボタン等からなるものである。
【００６２】
尚、前記術式選択ボタンにより他の術式が選択された場合の画面表示は省略する。
【００６３】
このようにして、術者は炭酸ガスレーザー装置１において第１の表示手段１０の画面を視認し、かつ、必要な操作を画面タップ動作を行うことで、炭酸ガスレーザー光Ｌによる所望の術式による患部治療等を実行することが可能となる。
【００６４】
（半導体レーザー装置２１の単体動作時）
図１２は、半導体レーザー装置２１の単体動作時における第２の表示手段２５の画面表示形態を示すものである。
【００６５】
前記半導体レーザー装置２１の単体動作時、すなわち、前記半導体レーザー装置２１を前記装着受部３に装着とていない状態では、第２の接続分離ユニット２３の接続分離検知機構部６１Ｂにおける一対の接点板７２、７２は開放状態で不導通である。
【００６６】
このとき、半導体レーザー装置２１の制御部４２は、半導体レーザー装置２１自体が単独であると判断し、前記バッテリー２９から供給される電力に基づき単独で動作を開始する。
【００６７】
また、半導体レーザー装置２１の制御部４２は、前記プログラムメモリ４３に格納した半導体レーザー装置２１単体用表示・操作プログラムに基づき、前記表示・操作画像情報記憶部４４から表示・操作画像情報を読み出し、第２の表示手段駆動部４５を駆動して、第２の表示手段２５の画面に図１２左欄に示すような半導体レーザー装置２１を単独で動作させるための表示・操作画像情報を表示する。
【００６８】
この表示・操作画像情報は、図１１左欄に示す場合と略同様であり、患部に対する術式を選択するための「切開１」、「切開２」、「蒸散１」、「蒸散２」、「蒸散３」からなる術式選択ボタン群、半導体レーザー光Ｌ１の出力電力表示（０．５Ｗ）、半導体レーザー光Ｌ１の照射時間設定ボタン、前記バッテリー２９の存在を示すバッテリー表示、レディ（ＲＥＤＹ）ボタン等からなるものである。
【００６９】
そして、図１２左欄に示す表示態様において、術者が例えば「切開１」のボタンをタップすると、第２の表示手段２５の画面は、図１２右欄に示す態様に画面推移する。
【００７０】
図１２右欄に示す表示態様は、「切開１」の表示、半導体レーザー光Ｌ１の出力電力表示及び出力電力増減用の変更ボタン、半導体レーザー光Ｌ１の照射時間増減設定ボタン、リターンボタン、ガイドレーザー光の設定ボタン、前記バッテリー２９の存在を示すバッテリー表示、レディ（ＲＥＤＹ）ボタン、メモリ（ＭＥＭＯＲＹ）ボタン等からなるものである。
【００７１】
このようにして、術者は単体状態にある半導体レーザー装置２１において第２の表示手段２５の画面を視認し、かつ、必要な操作を画面タップ動作を行うことで、半導体レーザー光Ｌ１による所望の術式による患部治療等を実行することが可能となる。
【００７２】
（炭酸ガスレーザー装置１、半導体レーザー装置２１の接続時）
図１３左欄は炭酸ガスレーザー装置１、半導体レーザー装置２１の接続時において、炭酸ガスレーザー装置１を動作させるように選択した場合の第１の表示手段１０の画面表示形態を示し、また、図１４左欄は炭酸ガスレーザー装置１、半導体レーザー装置２１の接続時において、半導体レーザー装置２１を動作させるように選択した場合の第１の表示手段１０の画面表示形態を示している。
【００７３】
前記炭酸ガスレーザー装置１、半導体レーザー装置２１の接続時、すなわち、図３に示すように、半導体レーザー装置２１を炭酸ガスレーザー装置１の装着受部３に装着したときには、前記第１の接続分離ユニット４の第１のコネクタ部３０と、第２の接続分離ユニット２３の第２のコネクタ部４１とがコネクタ結合する。
【００７４】
このとき、第１の接続分離ユニット４用の接続分離検知機構部６１Ａが第２の接続分離ユニット２３の装着を検知し、また、第２の接続分離ユニット２３の接続分離検知機構部６１Ｂが第１の接続分離ユニット４の装着を検知する。
【００７５】
前記接続分離検知機構部６１Ａが第２の接続分離ユニット２３の装着を検知したとき、炭酸ガスレーザー装置１の制御部３２は半導体レーザー装置２１が接続されたと判断し、電源供給手段３９を制御し、この電源供給手段３９から半導体レーザー装置２１動作用の直流電力を第１の接続分離ユニット４の第１のコネクタ部３０における電力伝送ピン５２から半導体レーザー装置２１側の第２のコネクタ部４１におけるピン受筒体５５を経て半導体レーザー装置２１側に供給する。
【００７６】
一方、半導体レーザー装置２１側においては、前記接続分離検知機構部６１Ｂが第１の接続分離ユニット４との装着を検知したとき、半導体レーザー装置２１の制御部４２は炭酸ガスレーザー装置１と接続されたと判断し、電力切換手段４７を制御して、前記バッテリー２９からの電力供給を停止し、第２のコネクタ部４１のピン受筒体５５からの直流電力を半導体レーザー装置２１の各要素に供給してこの半導体レーザー装置２１を動作させる。
【００７７】
また、炭酸ガスレーザー装置１の制御部３２は、プログラムメモリ３３に格納した両装置の接続時における選択的な動作用の表示・操作プログラムに基づき、表示・操作画像情報記憶部３４から炭酸ガスレーザー装置１用の表示・操作画像情報、及び、半導体レーザー装置２１用の表示・操作画像情報の双方を読み出し、第１の表示手段駆動部３５を駆動して、第１の表示手段１０の画面に、図１３左欄又は図１４左欄に示すような炭酸ガスレーザー装置１を動作させるための表示・操作画像情報の表示、又は、図１４左欄に示すような半導体レーザー装置２１を動作させるための表示・操作画像情報の表示を行う。
【００７８】
図１３左欄に示す表示・操作画像情報は、既述した図１１左欄に示す場合と略同様であり、患部に対する術式を選択するための「切開１」、「切開２」、「蒸散１」、「蒸散２」、「蒸散３」からなる術式選択ボタン群、炭酸ガスレーザー光Ｌの出力電力表示（０．５Ｗ）、炭酸ガスレーザー光Ｌの照射時間設定ボタン、照明光のスイッチボタン、前記空気供給源１３の作動ボタン、前記給水ポンプ１２の作動ボタン、レディ（ＲＥＤＹ）ボタンを含み、さらに、第１の表示手段１０の左下隅には、炭酸ガスレーザー装置１、半導体レーザー装置２１のいずれを動作させるかを選択するための選択ボタンが表示される。
【００７９】
尚、図１３左欄には、選択ボタンにより炭酸ガスレーザー装置１が選択されたことを意味する「ＣＯ２」を表示している。
【００８０】
そして、図１３左欄に示す表示態様において、術者が例えば「切開１」のボタンをタップすると、第１の表示手段１０の画面は、図１３右欄に示す態様に画面推移する。
【００８１】
図１３右欄に示す表示態様は、既述した図１１右欄に示す場合と略同様であり、「切開１」の表示、炭酸ガスレーザー光Ｌの出力電力表示及び出力電力増減用の変更ボタン、炭酸ガスレーザー光Ｌの照射時間増減設定ボタン、リターンボタン、ガイドレーザー光の設定ボタン、照明光のスイッチボタン、前記空気供給源１３の作動ボタン、前記給水ポンプ１２の作動ボタン、レディ（ＲＥＤＹ）ボタン、メモリ（ＭＥＭＯＲＹ）ボタン、さらには、炭酸ガスレーザー装置１、半導体レーザー装置２１のいずれを動作させるかを選択するための選択ボタンが表示される。
【００８２】
尚、この場合も、選択ボタンにより炭酸ガスレーザー装置１が選択されたことを意味する「ＣＯ２」を表示している。
【００８３】
この場合においては、炭酸ガスレーザー装置１、半導体レーザー装置２１が接続された状態で、術者は図１１に示す場合と同様にして、炭酸ガスレーザー装置１の第１の表示手段１０の画面を視認し、かつ、必要な操作を画面タップ動作を行うことで、炭酸ガスレーザー光Ｌによる所望の術式による患部治療等を実行することが可能となる。
【００８４】
次に、図１３左欄に示す表示形態において、術者が選択ボタンをタップすると、制御部３２は前記両装置の接続時における選択的な動作用の表示・操作プログラムに基づき第１の表示手段１０の画面を、図１４左欄に示す態様に切り換える。
【００８５】
図１４左欄に示す表示・操作画像情報の表示態様は、既述した図１２左欄に示す場合と略同様であり、患部に対する術式を選択するための「切開１」、「切開２」、「蒸散１」、「蒸散２」、「蒸散３」からなる術式選択ボタン群、半導体レーザー光Ｌ１の出力電力表示（０．５Ｗ）、半導体レーザー光Ｌ１の照射時間設定ボタン、前記バッテリー２９の存在を示すバッテリー表示、レディ（ＲＥＤＹ）ボタン、さらには選択ボタン等が表示される。
【００８６】
尚、この場合は、選択ボタンにより半導体レーザー装置２１が選択されたことを意味する「ＬＤ」を表示している。
【００８７】
そして、図１４左欄に示す表示態様において、術者が例えば「切開１」のボタンをタップすると、第１の表示手段１０の画面は、図１４右欄に示す態様に画面推移する。
【００８８】
図１４右欄に示す表示態様は、「切開１」の表示、半導体レーザー光Ｌ１の出力電力表示及び出力電力増減用の変更ボタン、半導体レーザー光Ｌ１の照射時間増減設定ボタン、リターンボタン、ガイドレーザー光の設定ボタン、前記バッテリー２９の存在を示すバッテリー表示、レディ（ＲＥＤＹ）ボタン、メモリ（ＭＥＭＯＲＹ）ボタン、さらには、選択ボタン等が表示される。
【００８９】
尚、この場合も、選択ボタンにより半導体レーザー装置２１が選択されたことを意味する「ＬＤ」を表示している。
【００９０】
このようにして、炭酸ガスレーザー装置１、半導体レーザー装置２１が接続された状態の基に、術者は炭酸ガスレーザー装置１の第１の表示手段１０の画面を視認し、かつ、必要な操作を画面タップ動作で行うことで、炭酸ガスレーザー装置１を操作する場合と略同様な操作環境の基に、接続状態にある半導体レーザー装置２１を操作し、半導体レーザー光Ｌ１による所望の術式による患部治療等を実行することが可能となる。
【００９１】
図１５は本実施例に係る医療装置を構成する炭酸ガスレーザー装置１、半導体レーザー装置２１を、既述した第１の接続分離ユニット４、第２の接続分離ユニット２３に替えて、公知のような両端に接続端子９２、９３を有する接続ケーブル９１を用いて有線接続することで前記炭酸ガスレーザー装置１、半導体レーザー装置２１を接続状態とし、また、接続ケーブル９１を取り外すことで、半導体レーザー装置２１を炭酸ガスレーザー装置１から分離し単体動作可能状態とする構成としたものである。
【００９２】
この場合、接続ケーブル９１の接続端子９２、９３、及び、炭酸ガスレーザー装置１の前記接続端子９２が装着される図示しない受端子、前記半導体レーザー装置２１の前記接続端子９２が装着される図示しない受端子の構造を、既述した第１のコネクタ部３０、第２のコネクタ部４１の構造と同様な構造とすることで、上述した場合と同様な作用、効果を発揮させることができる。
【００９３】
図１６は本実施例に係る医療装置を構成する炭酸ガスレーザー装置１、半導体レーザー装置２１を、公知の無線接続手段１０１を用いて無線接続する場合の概略構成を示すものである。
【００９４】
前記無線接続手段１０１は、炭酸ガスレーザー装置１の前記装着受部３の上面近くの内部に第１の無線接続手段１１１を配置し、半導体レーザー装置２１の前記装着受部３に接触させる底面近くの内部に前記第１の無線接続手段１１１と対向する配置で第２の無線接続手段１２１を配置した構成としている。
【００９５】
第１の無線接続手段１１１は、第１の非接触電力伝送部１１２と、第１の無線信号送受信部１１３とを具備している。
【００９６】
第１の非接触電力伝送部１１２は、図示しないが直流電力を交流電力に変換するインバータと、このインバータに接続された送電コイルを備え、前記電源供給手段３９から供給される直流電力を交流電力に変換し送電コイルから第２の無線接続手段１１１に非接触で伝送するように構成している。
【００９７】
一方、第２の無線接続手段１２１は、第２の非接触電力伝送部１２２と、第２の無線信号送受信部１２３とを具備している。
【００９８】
第２の非接触電力伝送部１２２は、第１の非接触電力伝送部１１２から伝送される交流電力を受信する受信コイルと、この受信コイルにて受信した交流電力を直流電力に変換するコンバータとを備え、コンバータから直流電力を前記電力切換手段４７に伝送するように構成している。
【００９９】
第１の無線接続手段１１１、第２の無線接続手段１２１は、公知の無線通信技術を採用して、炭酸ガスレーザー装置１の装着受部３に対する半導体レーザー装置２１の装着又は分離の検知、
及び、炭酸ガスレーザー装置１、半導体レーザー装置２１間の各種信号伝送を行うように構成している。
【０１００】
すなわち、前記第１の無線接続手段１１１、第２の無線接続手段１２１により、無線にて既述した第１の接続分離ユニット４、第２の接続分離ユニット２３と同等の機能を発揮させるように構成している。
【０１０１】
この他の構成は、既述した図４、図５等に示す場合と同様である。
【０１０２】
図１６に示す無線接続手段１０１を採用することにより、コネクタ結合や接続ケーブル９１ではなく、炭酸ガスレーザー装置１と半導体レーザー装置２１とを無線接続した簡略でより利便性の高い構成の基に、炭酸ガスレーザー装置１の第１の表示手段１０の画面を視認し、かつ、必要な操作を画面タップ動作で行うことで、炭酸ガスレーザー装置１を操作する場合と略同様な操作環境の基に、接続状態にある半導体レーザー装置２１を操作し、半導体レーザー光Ｌ１による所望の術式による患部治療等を実行することが可能となり、術者のユーザビリティ向上を図ることができる。
【０１０３】
また、コネクタ結合や接続ケーブル９１を使用していないので、炭酸ガスレーザー装置１の単独使用、半導体レーザー装置２１の単独使用を行う場合も、これらの分離操作が極めて簡略容易である。
【０１０４】
本実施例の医療装置によれば、接続・分離可能とした二台構成でありながら、両者の接続時における炭酸ガスレーザー装置１自体の操作性の確保と、略同等の操作環境による炭酸ガスレーザー装置１による半導体レーザー装置２１の操作性の確保と、両者の分離時における炭酸ガスレーザー装置１、半導体レーザー装置２１の独立性の確保とを実現でき、さらに、半導体レーザー装置２１を単体とした場合にバッテリー駆動となることから在宅歯科治療等への適用範囲拡張、利便性の向上を容易に図ることが可能となる。
【０１０５】
（変形例）
本発明は上述した実施形態に限定されるものではなく、実施段階ではその要旨を逸脱しない範囲で種々変形して実施することが可能である。例えば第１の表示手段を有する医療装置が歯科診療用ユニットであり、第２の表示手段を有する医療装置が卓上用測定器例えば根管長測定器であってもよい。このような構成にすれば、歯科診療用ユニット上のテーブルに根管長測定器を接続して使用することが可能で、歯科診療用ユニットの表示器に根管長測定器と略同一の表示が可能となり、歯科診療用ユニットの表示器を使用して根管長測定器の操作をしたり測定状況を表示したりすることができる。
【産業上の利用可能性】
【０１０６】
本発明は、異なる波長のレーザー光を使用する各種レーザー装置を組み合わせ、異なる術式による治療範囲の拡大、在宅歯科治療等への適用範囲拡張を図る用途に好適に適用可能である。
【符号の説明】
【０１０７】
１    炭酸ガスレーザー装置
２    装置本体
３    装着受部
４    第１の接続分離ユニット
５    第１の制御ユニット
７    炭酸ガスレーザー発信器
８    炭酸ガスレーザーハンドピース
９    第１の導光路
１０    第１の表示手段
１１    水タンク
１２    給水ポンプ
１３    空気供給源
１４    水流路
１５    空気流路
１６    電源ケーブル
２１    半導体レーザー装置
２２    装置本体
２３    第２の接続分離ユニット
２４    第２制御ユニット
２５    第２の表示手段
２６    半導体レーザー発信器
２７    半導体レーザーハンドピース
２８    第２の導光路
２９    バッテリー
３０    第１のコネクタ部
３０ａ  開口部
３２    制御部
３３    プログラムメモリ
３４    表示・操作画像情報記憶部
３５    第１の表示手段駆動部
３６    炭酸ガスレーザー駆動部
３７    給水ポンプ駆動部
３８    空気供給源駆動部
３９    電源供給手段
４１    第２のコネクタ部
４２    制御部
４３    プログラムメモリ
４４    表示・操作画像情報記憶部
４５    第２の表示手段駆動部
４６    半導体レーザー発信器駆動部
４７    電力切換手段
５１    コネクタピン支持体
５２    電力伝送ピン
５３    信号伝送ピン
５４    絶縁体
５５    ピン受筒体
５６    ピン受筒体
６１    接続分離検知手段
６１Ａ  接続分離検知機構部
６１Ｂ  接続分離検知機構部
６２    接点板
６３    導線
６４    接触板
７２    接点板
７３    導線
７４    接触板
８１    コネクターカバー
８２    支持ピン
８３    板バネ
９１    接続ケーブル
９２    接続端子
９３    接続端子
１０１    無線接続手段
１１１    第１の無線接続手段
１１２    第１の非接触電力伝送部
１１３    第１の無線信号送受信部
１２１    第２の無線接続手段
１２２    第２の非接触電力伝送部
１２３    第２の無線信号送受信部
【図１】
0006529734.tif 000002
【図２】
0006529734.tif 000003
【図３】
0006529734.tif 000004
【図４】
0006529734.tif 000005
【図５】
0006529734.tif 000006
【図６】
0006529734.tif 000007
【図７】
0006529734.tif 000008
【図８】
0006529734.tif 000009
【図９】
0006529734.tif 000010
【図１０】
0006529734.tif 000011
【図１１】
0006529734.tif 000012
【図１２】
0006529734.tif 000013
【図１３】
0006529734.tif 000014
【図１４】
0006529734.tif 000015
【図１５】
0006529734.tif 000016
【図１６】
0006529734.tif 000017